(57)【要約】【課題】子供用椅子を提供する。【解決手段】子供用椅子は、結合部を有する座席本体と、結合部に着脱自由に係合する支持脚セットと、座席本体に連結される安全ストラップとを含む。支持脚セットを結合部に係合した場合、子供用椅子はハイチェア状態に設置される。支持脚セットを結合から外した場合、子供用椅子はブースター状態に設置される。安全ストラップは座席本体を大人用椅子に固定するために用いられる。【選択図】図５
2011072769.tif 000002
【特許請求の範囲】
【請求項１】
ハイチェア状態とブースター状態に選択的に設置できる子供用椅子であって、
結合部を有する座席本体と、
前記結合部に着脱自由に係合する支持脚セットと、
前記座席本体に連結される安全ストラップとを含み、
前記支持脚セットを前記結合部に係合した場合、前記子供用椅子はハイチェア状態に設置され、前記支持脚セットを前記結合から外した場合、前記子供用椅子はブースター状態に設置され、前記安全ストラップは前記座席本体を大人用椅子に固定するために用いられる、子供用椅子。
【請求項２】
前記結合部は前記座席本体の底部にある、請求項１に記載の子供用椅子。
【請求項３】
前記支持脚セットは複数の支持脚を含み、前記結合部は、複数の支持脚をはめ込んで係合するための複数の孔を含む、請求項１または請求項２に記載の子供用椅子。
【請求項４】
前記子供用椅子は更に足置きを含み、前記複数の支持脚は２本の前支持脚と２本の後支持脚を含み、足置きは２本の前支持脚に設けられる、請求項３に記載の子供用椅子。
【請求項５】
前記足置きは係合部を含み、前記支持脚セットを前記座席本体から外した場合、前記２本の後支持脚は前記足置きの係合部と係合する、請求項４に記載の子供用椅子。
【請求項６】
前記複数の支持脚はパイプであり、前記支持脚のパイプに設けられ、前記結合部と係合して前記支持脚を前記座席本体に固定する固定部をそれぞれ含む、請求項３に記載の子供用椅子。
【請求項７】
前記座席本体は更に、前記結合部の前記孔の近くに設けられ、前記支持脚を前記結合部から脱着するように前記固定部を動かす操作部を含む、請求項６に記載の子供用椅子。
【請求項８】
前記支持脚セットの管壁は第一孔を有し、前記結合部の孔が形成された壁面は第二孔を有し、前記固定部は、第一孔と第二孔へ突き出して前記支持脚を前記結合部の対応する前記孔に係合するための突起を有する、請求項６に記載の子供用椅子。
【請求項９】
前記固定部はＶ字型弾性片である、請求項６に記載の子供用椅子。
【請求項１０】
前記支持脚セットと前記結合部が結合するところには突出部が設けられ、前記結合部は突出部に対応する凹部を有し、前記支持脚セットは突出部を通して傾斜角をもって前記結合部に係合される、請求項１に記載の子供用椅子。
【請求項１１】
前記支持脚セットと前記結合部が結合するところには、傾斜角をもって前記支持脚セットを前記結合部に係合するための屈曲部が設けられる、請求項１に記載の子供用椅子。
【請求項１２】
前記座席本体は更に収容空間を含み、前記安全ストラップは前記座席本体の収容空間が設けられた壁面に連結される、請求項１に記載の子供用椅子。
【請求項１３】
前記座席本体は更に、前記収容空間に移動自由に設けられるカバーを含み、カバーは前記収容空間に対して開位置と閉位置の間で移動でき、前記カバーが閉位置に移動した場合、前記安全ストラップは前記収容空間に収容され、前記カバーが前記収容空間に対して前記開位置に移動した場合、前記カバーは前記結合部をカバーし、前記安全ストラップは前記収容空間から伸び出す、請求項１２に記載の子供用椅子。
【請求項１４】
支持脚セットと結合してハイチェアを形成できるブースターであって、
前記支持脚セットと結合し、結合部から前記支持脚セットを外せる結合部と、収容空間を有する座席本体と、
前記座席本体に連結され、前記収容空間に収納できるストラップとを含む、ブースター。
【請求項１５】
前記ブースターは更に、前記結合部の近くに設けられる操作部を含み、操作部を操作すれば前記支持脚を前記結合部から脱着できる、請求項１４に記載のブースター。
【請求項１６】
前記結合部は、前記支持脚セットと係合するための複数の孔を含む、請求項１４に記載のブースター。
【請求項１７】
前記結合部の前記孔には、前記支持脚セットの突出部に対応する凹部が設けられる、請求項１６に記載のブースター。
【請求項１８】
前記ブースターは更に、前記座席本体に移動自由に設けられるカバーを含み、カバーは前記結合部または前記収容空間に操作自由に設けられ、前記結合部または前記収容空間を選択的にカバーする、請求項１４に記載のブースター。
【請求項１９】
前記座席本体は座席部と、座席部の下方に固定される台座とを含み、前記カバーは台座に移動自由に設けられる、請求項１８に記載のブースター。
【請求項２０】
ハイチェア状態とブースター状態に選択的に設置できる子供用椅子であって、
結合部と、結合部の近くに設けられる収容空間と、摺動自由に設けられるカバーとを備える座席本体と、
前記結合部に着脱自由に係合する支持脚セットと、
前記座席本体の前記収容空間内に設けられる安全ストラップとを含み、
前記カバーは第一位置と第二位置の間で移動でき、前記カバーが第一位置に移動すれば、前記カバーは前記収容空間をカバーして前記結合部を露出させ、前記支持脚セットは前記結合部と係合し、前記子供用椅子はハイチェア状態に設置され、前記カバーが第二位置に移動すれば、前記カバーは前記結合部をカバーして前記収容空間を露出させ、前記安全ストラップは前記収容空間から伸び出し、前記子供用椅子はブースター状態に設置される、子供用椅子。
【請求項２１】
前記支持脚セットは複数の支持脚を含み、前記結合部は、複数の支持脚をはめ込んで係合するための複数の孔を含む、請求項２０に記載の子供用椅子。
【請求項２２】
前記結合部は前記座席本体の底部にある、請求項２１に記載の子供用椅子。
【発明の詳細な説明】
【技術分野】
【０００１】
本発明は子供用椅子に関し、特にハイチェアとブースター（座席の高さを上げる補助椅子）として選択的に使用できる子供用椅子に関する。
【背景技術】
【０００２】
現在、乳幼児用に供する子供用椅子はかなり普及している。子供用椅子により、食事時に乳幼児を同席させ、大人がその面倒を見ることが容易になった。周知の子供用椅子はさまざまあるが、座席本体とフレームは一般に脱着不能なものにされるので、体積が大きく収納に不便である。また、ブースターとして使用される子供用椅子は通常、子供用椅子を大人用椅子に固定するための安全ストラップを有するが、この安全ストラップは一般に収納できないので、安全ストラップより首が絞められる事故が生じやすく、安全上の問題がある。
【発明の概要】
【発明が解決しようとする課題】
【０００３】
本発明は、座席本体に着脱自由に設置される支持脚を備え、安全ストラップが収納可能で、支持脚を座席本体から外せば安全ストラップが本体から伸び出して座席本体を大人用椅子に固定し、ブースターとして使用できる子供用椅子を提供する。
【課題を解決するための手段】
【０００４】
本発明ではハイチェア状態とブースター状態に選択的に設置できる子供用椅子を開示する。子供用椅子は、結合部を有する座席本体と、結合部に着脱自由に係合する支持脚セットと、座席本体に連結される安全ストラップとを含む。支持脚セットを結合部に係合した場合、子供用椅子はハイチェア状態に設置される。支持脚セットを結合から外した場合、子供用椅子はブースター状態に設置される。安全ストラップは座席本体を大人用椅子に固定するために用いられる。
【０００５】
本発明では更に、支持脚セットと結合してハイチェアを形成できるブースターを開示する。ブースターは、支持脚セットと結合し、結合部から支持脚セットを外せる結合部と、収容空間を有する座席本体と、座席本体に連結され、収容空間に収納できるストラップとを含む。
【０００６】
本発明では更に、ハイチェア状態とブースター状態に選択的に設置できる子供用椅子を開示する。子供用椅子は、結合部と、結合部の近くに設けられる収容空間と、摺動自由に設けられるカバーとを備える座席本体と、結合部に着脱自由に係合する支持脚セットと、座席本体の収容空間内に設けられる安全ストラップとを含む。カバーは第一位置と第二位置の間で移動できる。カバーが第一位置に移動すれば、カバーは収容空間をカバーして結合部を露出させ、支持脚セットは結合部と係合し、子供用椅子はハイチェア状態に設置される。カバーが第二位置に移動すれば、カバーは結合部をカバーして収容空間を露出させ、安全ストラップは収容空間から伸び出し、子供用椅子はブースター状態に設置される。
【０００７】
本発明による子供用椅子は、ハイチェアとして使用した場合に安全ストラップを収納できる。着脱可能な支持脚セットと安全ストラップの収納機能の結合により、安全ストラップの誤用は防止できる。また、着脱可能な支持脚セットは別途に包装できるので、梱包のサイズも削減できる。
【図面の簡単な説明】
【０００８】
【図１】本発明による子供用椅子を表す説明図である。
【図２】子供用椅子をブースターとして使用する状態を表す説明図である。
【図３】足置きを表す説明図である。
【図４】実施例１による子供用椅子の支持脚セットと足置きを表す説明図である。
【図５】子供用椅子の部品分解図である。
【図６】座席本体と前支持脚の結合状態を示す断面図である。
【図７】実施例１による子供用椅子の座席本体の底部を表す説明図である。
【図８】支持脚と座席本体の結合状態を表す説明図である。
【図９】本発明の実施例２による子供用椅子の後支持脚を足置きに係合した状態を表す説明図である。
【図１０】座席本体の底部を表す説明図である。
【図１１】支持脚を座席本体に結合した状態を表す説明図である。
【発明を実施するための形態】
【０００９】
図１を参照する。図１は本発明による子供用椅子１を表す説明図である。子供用椅子１は座席本体１０と、支持脚セット２０と、座席本体１０の底部に結合される安全ストラップセット１７（図２と図７に示す）とを含む。座席本体１０の底部に着脱自由に設置される本実施例の支持脚セット２０は、子供用椅子１を図１に示すハイチェアまたは図２に示すブースターにする２本の前支持脚２１と２本の後支持脚を含む。図２に示すように、支持脚セット２０は座席本体１０から外すことができる。支持脚セット２０を外した後、座席本体１０を大人用椅子２に乗せ、子供用椅子１の安全ストラップセット１７でそれを大人用椅子２に固定することができる。この場合、子供用椅子１はブースターとして使用される。
【００１０】
本実施例による子供用椅子１は更に、支持脚セット２０に設けられる足置き３０を含む。図３と図４を参照する。図３は足置き３０を表す説明図であり、図４は実施例１による子供用椅子１の支持脚セット２０と足置き３０を表す説明図である。足置き３０は足置き本体３３と、足置き本体３３の両側に設けられる孔３１とを含む。足置き本体３３には横方向に形成される係合部３２が設けられ、係合部３２は２つの係合クリップ３２１を含む。支持脚セット２０の前支持脚２１は足置き３０の孔３１を通過し、足置き３０を２本の前支持脚２１に固定する。実施例１による後支持脚２２の上端には、図４に示す屈曲部２２１が形成されている。子供用椅子１の支持脚セット２０を座席本体１０から外した後でも、２本の後支持脚２２は係合部３２の係合クリップ３２１にそれぞれ係合する（係合の状態については図９に示す実施例を参照）ので、収納に便利である。後支持脚２２の着脱を可能にするために、係合クリップ３２１の両壁には弾性アーム３２２が形成されている。もっとも、他実施例として足置き３０を省略するか、または足置き３０を座席本体１０に結合することもできる。
【００１１】
図５と図６を参照する。図５は子供用椅子１の部品分解図であり、図６は座席本体１０と前支持脚２１の結合状態（後支持脚２２と座席本体１０の結合状態は図示と同様なので、図６から省略される）を示す断面図である。図５に示すように、座席本体１０は座席部１１と台座１２からなる。台座１２には、支持脚セット２０に合わせて結合部１４が設けられている。本実施例による結合部１４は複数の孔１４４を有する。支持脚セット２０の前支持脚２１と後支持脚２２は、一端がそれぞれ対応する孔１４４を通過して結合部１４と係合するように、座席本体１０の底部に設置されている。言い換えれば、支持脚セット２０の前支持脚２１と後支持脚２２は対応する孔１４４にはめ込まれ、座席本体１０の結合部１４に着脱自由に係合されている。この場合、子供用椅子１は図１に示すハイチェアとして使用できる。このとき、２本の後支持脚２２の屈曲部２２１と後支持脚２２の他部分との間では傾斜角を呈するので、後支持脚２２の屈曲部２２１を結合部１４の対応する孔１４４に係合するとき、傾斜角をもって２本の後支持脚２２を座席本体１０に装着し、座席本体１０を安定させるために後支持脚２２を外側へ伸ばすことができる。もっとも、前述のように、支持脚セット２０を結合部１４から外し、子供用椅子を図２に示すブースター状態にすることも可能である。
【００１２】
支持脚セット２０と結合部１４の着脱を可能にするために、本発明の実施例では支持脚セット２０として中空のパイプを利用し、更に支持脚セット２０の各支持脚２１、２２を構成するパイプの中で、支持脚２１，２２を座席本体１０の台座１２に固定するための固定部２３を設ける。前支持脚２１を例にすれば、本実施例ではＶ字型の弾性片を固定部２３とし、そのアーム２３２の一端に突起２３１を設ける。また、前支持脚２１の管壁に第一孔２１１を設け、前支持脚２１に対応する結合部１４の孔１４４が形成された壁面に第二孔１４１を設ける。固定部２３のアーム２３２は前支持脚２１のパイプの中で管壁に突き当て、その突起２３１は第一孔２１１から突出している。前支持脚２１を結合部１４の孔１４４に挿入すれば、台座１２の当止部１４３は前支持脚２１に突き当て（前支持脚２１に座席本体を支える着力点を与える）、固定部２３の突起２３１は結合部１４の第二孔１４１に伸長し、前支持脚２１を対応する結合部１４の孔１４４内に係合する。したがって固定部２３は、前支持脚２１が対応する結合部１４の孔１４４から脱落するのを防ぎ、危険を避ける機能がある。
【００１３】
座席本体１０の座席部１１で、結合部１４の対応する孔１４４の一側に設けられた第二孔１４１には、座席部１１に対して移動できる操作部１３（本実施例ではボタン）が設けられている。操作部１３を押圧すれば、対応する固定部２３の突起２３１を対応する第二孔１４１から外し、対応する前支持脚２１と対応する結合部１４との結合を解除することができる。その後、前支持脚２１を引っ張って孔１４４から抜き出せば、前支持脚２１は座席本体１０から脱着される。なお、本実施例による操作部１３の下方には、操作部１３を本来の状態に戻すための弾性アーム１３が形成されている。
【００１４】
前掲実施例では１本の前支持脚２１と、結合部１４の対応する孔１４４を例にして説明したが、子供用椅子１の後支持脚２２及びもう１本の前支持脚２１と、結合部１４の対応する孔１４４との着脱については、前述と同様なので、ここで説明を省略する。
【００１５】
また、他実施例として、台座１２として独立した部材でなく、座席部１１と一体成形でつくられたものを利用するか、或いは前支持脚２１と後支持脚２２の上端を螺旋状にし、それに対応して座席本体１０の結合部１４を螺旋状にすることもできる。後者の場合、前支持脚２１と後支持脚２２を回転すれば、支持脚セット２０を座席本体１０の下に固定できる。
【００１６】
図５と図７を参照する。図７は実施例１による子供用椅子１の座席本体１０の底部を表す説明図である。図７に示すように、座席本体１０の台座１２は安全ストラップセット１７を収容する空間１２１を含む。本実施例による安全ストラップセット１７は、第一安全ストラップセット１７１と第二安全ストラップセットを含む。各セットは各々２本の安全ストラップを含み、この２本の安全ストラップはそれぞれ座席本体１０の台座１２の両側に設けられている。図２を合わせて参照する。第一安全ストラップセット１７１に属する２本の安全ストラップは、大人用椅子２の底部で相互に結合して座席本体１０を固定する。第二安全ストラップセット１７２に属する２本の安全ストラップは、大人用椅子２の背もたれを縛るように相互に結合して座席本体１０を固定する。安全ストラップセット１７の各安全ストラップは、収容空間１２１に収容されるとともに、座席本体１０の収容空間１２１が形成された壁面に結合されている。座席本体１０は、台座１２の底部で移動自由に設けられ、収容空間１２１及び座席本体１０（または台座１２）の底部にある結合部１４の孔１４４にそれぞれ対応する複数のカバー１５１、１５２、１６１、１６２を含む。カバー１５１、１５２、１６１、１６２は座席本体１０と台座１２に対して、開位置と閉位置の間で移動できる。
【００１７】
説明を簡単にするために、図７に示すカバー１５１、１６１を開位置にし、カバー１５２、１６２を閉位置にする。カバー１５１、１５２、１６１、１６２を閉位置にした場合、安全ストラップセット１７の各安全ストラップは収容空間１２１内に収容される。座席本体１０の台座１２の下にある結合部１４の各孔１４４は露出し、支持脚セット２０の前支持脚２１と後支持脚２２は結合部１４の対応する各孔１４４と係合する。この場合、図８に示すように、座席本体１０と支持脚セット２０を結合してハイチェアとして使用することができる。図８は支持脚２１、２２と座席本体１０の結合状態を表す説明図である。この場合、安全ストラップセット１７は使用しないので、座席本体１０の収容空間１２１に収容し、空間を節約するとともに、安全ストラップセット１７の露出による危険を防止することができる。支持脚セット２０を座席本体１０から外した後、カバー１５１、１５２、１６１、１６２を開位置にして結合部１４の対応する各孔１４４をカバーすれば（この状態では、支持脚セット２０は結合部１４の対応する各孔１４と結合できない）、安全ストラップセット１７の安全ストラップを各収容空間１２１から引っ張り出すことができる。その後、座席本体１０を大人用椅子２に置き、各安全ストラップをその止め具（図示せず）で相互に結合すれば、座席本体１０を大人用椅子２に固定することができる。したがって、着脱可能な支持脚セット２０と収納可能な安全ストラップセット１７を有する子供用椅子１は、安全ストラップセット１７が収納された場合にのみ、支持脚セット２０を装着してハイチェアとして利用することができる。支持脚セット２０を座席本体１０から外した後、カバー１５１、１５２、１６１、１６２を移動して安全ストラップセット１７を露出させれば、座席本体１０を大人用椅子２に固定することができる。
【００１８】
図９から図１１を参照する。図９は本発明の実施例２による子供用椅子の後支持脚４２を足置き３０に係合した状態を表す説明図であり、図１０はそれに対応する座席本体１０’の底部を表す説明図であり、図１１は支持脚２１、４２を座席本体１０’に結合した状態を表す説明図である。実施例２による後支持脚４２の上端には突出部４２１が設けられ、座席本体１０’の底部にある後支持脚４２に対応する結合部１４の孔１４４には、突出部４２１に対応する凹部１４２が形成されている。後支持脚４２を結合部１４の対応する孔１４４に係合した場合、後支持脚４２の突出部４２１を凹部１４２と結合し、傾斜角をもって後支持脚４２を結合部１４の孔１４４に係合することができる。前掲実施例１による後支持脚２２と同じように、座席本体１０’を安定させるために、後支持脚４２は外側へ伸ばすことができる。突出部４２１と凹部１４２は前支持脚２１にも設置できる。カバー１５３、１６３の設置方式と作用は、実施例１によるカバー１５１、１５２、１６１、１６２と同じようなので、ここで説明を省略する。
【００１９】
本発明による子供用椅子は着脱可能な支持脚セットを有し、支持脚セットを座席本体に結合し場合は子供用椅子をハイチェアとして使用でき、支持脚セットを座席本体から外した場合は、座席本体を大人用椅子に置いてブースターとして使用することができる。座席本体には複数の収容空間が設けられ、各収容空間にはそれと連結した対応する安全ストラップと、開位置と閉位置の間で移動できるカバーが設けられている。支持脚セットを座席本体から外した後、カバーを開位置に移動して座席本体の結合部をカバーすれば、支持脚セットと座席本体は結合できなくなる。この場合、安全ストラップを収容空間から引っ張り出し、座席本体を大人用椅子に固定することができる。カバーは、安全ストラップを収容空間に収納した場合にのみ、閉位置から開位置に移動して収容空間をカバーする。この場合、結合部は露出しているので、支持脚セットを結合部と結合し、子供用椅子をハイチェアとして使用することができる。
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【符号の説明】
【００２０】
１        子供用椅子
２        大人用椅子
１０      座席本体
１１      座席部
１２      台座
１３      操作部
１４      結合部
１７      安全ストラップセット
２０      支持脚セット
２１      前支持脚
２２、４２  後支持脚
２３      固定部
３０      足置き
３１      孔
３２      係合部
３３      足置き本体
１２１    収容空間
１３１    弾性アーム
１４１    第二孔
１４２    凹部
１４３    当止部
１４４    孔
１５１、１５２、１５３、  カバー
１６１、１６２、１６３
１７１    第一安全ストラップセット
１７２    第二安全ストラップセット
２１１    第一孔
２２１    屈曲部
２３１    突起
２３２    アーム
３２１    係合クリップ
３２２    係合アーム
４２１    突出部
【図１】
2011072769.tif 000003
【図２】
2011072769.tif 000004
【図３】
2011072769.tif 000005
【図４】
2011072769.tif 000006
【図５】
2011072769.tif 000007
【図６】
2011072769.tif 000008
【図７】
2011072769.tif 000009
【図８】
2011072769.tif 000010
【図９】
2011072769.tif 000011
【図１０】
2011072769.tif 000012
【図１１】
2011072769.tif 000013